(57)【特許請求の範囲】
【請求項１】
被写体の画像を撮像する撮像手段と、
前記撮像手段が撮像した動画像を表示するための第１の画像表示手段と、
前記撮像手段が撮像した動画像又は記録媒体から再生された静止画像を表示するための第２の画像表示手段と、
前記第２の画像表示手段の向きを回転方向に変化させる回転部を有し、当該回転部の動作により前記第２の画像表示手段の開閉状態が変化したときにトリガ信号を出力するトリガ信号出力手段と、
前記第２の画像表示手段が閉じた状態から開いた状態に変化したときは、前記第１の画像表示手段の表示をオフにし、かつ前記第２の画像表示手段の表示をオンにし、前記第２の画像表示手段が開いた状態から閉じた状態に変化したときは、前記第２の画像表示手段の表示をオフにし、かつ前記第１の画像表示手段の表示をオンにするよう、前記トリガ信号に応じて表示状態を切り換える表示切換手段とを有し、
前記第２の画像表示手段が閉じた状態であって、前記第１の画像表示手段の表示をオンにして動画像を撮影している間に静止画像が撮影されて前記記録媒体に記録された場合、前記表示切換手段は、前記第２の画像表示手段が閉じた状態から開いた状態に変化したときに、前記第１の画像表示手段の表示をオフにすることなく前記第２の画像表示手段の表示をオンにして、前記第２の画像表示手段によって前記記録媒体から再生された静止画像の表示を行わせた後、静止画像の表示停止命令を受けつけたとき又は所定時間経過したときに、前記第１の画像表示手段の表示をオフにし、かつ前記第２の画像表示手段の表示を撮影している動画像に切り換える
ことを特徴とする撮像装置。
【請求項２】
前記第２の画像表示手段が閉じた状態から開いた状態に変化したときに、前記表示切換手段により、前記第２の画像表示手段に前記記録媒体から再生された静止画像を表示させるか否かを選択的に設定する静止画像設定手段を更に含むことを特徴とする請求項１に記載の撮像装置。
【発明の詳細な説明】
【技術分野】
【０００１】
本発明は、撮像装置に関し、特に電子スチルカメラの機能を備えた撮像装置を対象とする。
【背景技術】
【０００２】
従来、磁気テープ等の記録媒体に動画像を記録する撮像装置において、動画像のみならず、静止画像を記録することができる電子スチルカメラ機能をもった電子スチルカメラ付き撮像装置が種々案出されている。
【０００３】
従来の撮像装置の代表的な構成を図５に示す。以下、この図５に沿って従来の撮像装置の構成について説明する。
撮像装置３００は、ＥＶＦ３１０と、液晶モニタ３２０と、操作部材３３０と、レンズ３４０と、回転部３５０と、モード切替え手段３６０とを備えて構成されている。
【０００４】
ＥＶＦ３１０は、接眼状態により被写体及び再生された映像信号等を視覚的に見ることができる画像表示手段である。液晶モニタ３２０は、非接眼状態により被写体及び再生された映像信号等を視覚的に見ることができる画像表示手段である。
【０００５】
操作部材３３０は、記録／再生時の操作、及びその他システム制御のための操作を行う部材である。レンズ３４０は、被写体を撮像するための集光部材である。回転部３５０は、液晶モニタ３２０を回転させるための部材である、モード切替え手段３６０は、被写体を撮像するカメラモード、及び既に記録媒体に記録された映像信号を再生する再生モードを切り換えるための手段である。
【０００６】
上記のように構成された撮像装置において、電子スチルカメラ機能等を用いて動画像記録中に静止画像を撮影して記録する場合、ＥＶＦ３１０又は液晶モニタ３２０には、記録中の動画像が表示されているため、撮影した静止画像を表示することは困難である。この問題を解決するために、例えば、特許文献１では、２つの表示装置を用いて動画像の表示を中断することなく撮影された静止画像を確認する方法が開示されている。
【０００７】
【特許文献１】特開平１０−３２７３４号公報
【発明の開示】
【発明が解決しようとする課題】
【０００８】
しかしながら、上記した従来技術の撮像装置において、動画像の記録中に、静止画像を撮影した場合、ＥＶＦや液晶モニタには動画像用の原画像が表示されているため、静止画像のプレビューを行うには操作部３３０等の操作部材を操作して静止画の再生指示を行う必要がある。そのため、操作者は動画像の記録に意識を集中することが困難となり、動画像の記録ミスにつながっていた。また、上記した従来技術の撮像装置において、静止画像のプレビューの表示態様自体については議論されているが、その表示を実現するための具体的な手法については議論がなされていない現況にある。
【０００９】
本発明は、上記の課題に鑑みてなされたものであり例えばファインダを覗きながら動画像を撮影している状況で静止画像を撮影した場合に、撮影中の動画像表示を継続しながら、容易且つ明確に静止画像を表示することを実現し、信頼性が高く使い勝手に優れた撮像装置を提供することを目的とする。
【課題を解決するための手段】
【００１０】
本発明の撮像装置は、被写体の画像を撮像する撮像手段と、前記撮像手段が撮像した動画像を表示するための第１の画像表示手段と、前記撮像手段が撮像した動画像又は記録媒体から再生された静止画像を表示するための第２の画像表示手段と、前記第２の画像表示手段の向きを回転方向に変化させる回転部を有し、当該回転部の動作により前記第２の画像表示手段の開閉状態が変化したときにトリガ信号を出力するトリガ信号出力手段と、前記第２の画像表示手段が閉じた状態から開いた状態に変化したときは、前記第１の画像表示手段の表示をオフにし、かつ前記第２の画像表示手段の表示をオンにし、前記第２の画像表示手段が開いた状態から閉じた状態に変化したときは、前記第２の画像表示手段の表示をオフにし、かつ前記第１の画像表示手段の表示をオンにするよう、前記トリガ信号に応じて表示状態を切り換える表示切換手段とを有し、前記第２の画像表示手段が閉じた状態であって、前記第１の画像表示手段の表示をオンにして動画像を撮影している間に静止画像が撮影されて前記記録媒体に記録された場合、前記表示切換手段は、前記第２の画像表示手段が閉じた状態から開いた状態に変化したときに、前記第１の画像表示手段の表示をオフにすることなく前記第２の画像表示手段の表示をオンにして、前記第２の画像表示手段によって前記記録媒体から再生された静止画像の表示を行わせた後、静止画像の表示停止命令を受けつけたとき又は所定時間経過したときに、前記第１の画像表示手段の表示をオフにし、かつ前記第２の画像表示手段の表示を撮影している動画像に切り換える。
【発明の効果】
【００１４】
本発明の撮像装置によれば、動画像を撮影している状況で静止画像を撮影した場合に、撮影中の動画像表示を継続しながら、容易且つ明確に静止画像を表示することを実現し、信頼性が高く使い勝手に優れた撮像が可能となる。
【発明を実施するための最良の形態】
【００１５】
以下、図面を参照しながら本発明の好適な実施形態を説明する。
なお、本明細書において、「画像」とは自然画、図形、絵、写真などの所謂狭義の画像の他、文字、数字、記号などのキャラクタをも示す概念であり、さらにそれらが混在するものも含むものとする。
また、「記録」とは、文字、図形等有意の情報を形成する場合のみならず、有意無意を問わず、また人間が視覚で知覚し得るように顕在化したものであるか否かを問わず、記録媒体に、広く画像、模様、パターン等を形成する、または媒体の加工を行う場合も言うものとする。
【００１６】
（撮像装置の構成）
図１は、本発明の実施形態による撮像装置の全体構成例を示すブロック図である。
レンズ２０１は、被写体像を入光するためのものである。撮像素子２０２は、ＣＣＤ等からなり、レンズ２０１から入光した被写体像を光電変換する。
カメラ信号処理部２０３は、撮像素子２０２からの出力信号をマトリクス処理することによって輝度信号及び色差信号を生成し、ガンマ処理、Ａ／Ｄ変換などの処理を行い、カード記録再生部２０４、若しくは磁気テープ記録再生部２０５に出力する。カード記録再生部２０４は、カメラ信号処理部２０３から出力される映像信号を、後述する制御部２００の制御に従って半導体メモリ等で構成されるカード２０６に記録し、カード２０６に記録されている映像信号を制御部２００の制御に従って再生する。ここで、カード２０６においては、動画及び静止画のデータ何れでも記録・再生が可能であり、音声信号を含むデータであっても良い。
【００１７】
磁気テープ記録再生部２０５は、カメラ信号処理部２０３から出力される映像信号を制御部２００の制御に従って磁気テープ２０７に記録し、磁気テープ２０７に記録されている映像信号を制御部２００の制御に従って再生する。磁気テープ２０７に記録再生されるデータは主に動画であるが、静止画であっても良く、音声信号を含むデータであっても良い。また、本実施形態では、動画又は静止画を記録再生する媒体を磁気テープ、若しくはカードとしたが、これは、光ディスク、磁気テープ、光磁気ディスク或は半導体メモリ等様々な組み合せが可能なものとする。
【００１８】
表示信号生成部２０８は、制御部２００の制御に従ってカード記録再生部２０４又は磁気テープ記録再生部２０５から出力される映像をＥＶＦ２０９及び液晶モニタ２１０に出力する。ＥＶＦ２０９及び液晶モニタ２１０は、撮像素子２０２によって撮像された画像、カード２０６や磁気テープ２０７から再生された画像、又は制御部２００によりズーミング処理等の加工が施された画像等が表示される。本実施形態では、ＥＶＦ２０９が第１の画像表示手段、液晶モニタ２１０が第２の画像表示手段とする。液晶モニタ２１０には、操作者の操作により当該液晶モニタ２１０を開閉し、所期の状態となるように回転させるための回転部２１３が設けられている。なお、通常の撮影動作時においては、ＥＶＦ２０９を使用して撮影を行っている際は液晶モニタ２１０の表示は消されており、一方液晶モニタ２１０を使用して撮影を行っている際はＥＶＦ２０９の表示は消されている。液晶モニタ２１０の表示のオンオフは例として回転部２１３を回転させることに応じて動作し、さらにそのオンオフに応じてＥＶＦ２０９の表示もオンオフ可能となる。具体的には、図５を例にして説明すると、液晶モニタを閉じた状態では液晶モニタの表示がオフになり、ＥＶＦの表示がオンとなる。一方、液晶モニタを開いた状態では液晶モニタの表示がオンになり、ＥＶＦの表示がオフになる。いずれも表示がオンになっている側には、撮影中の動画像を表示可能となる。
【００１９】
操作部２１１は、各種の操作入力を行うボタン等の操作部材やタッチパネル等で構成される。又は視線入力等のＵＩを用いて行うものでも良い。操作部材２１１は、被写体を撮像するカメラモードとカード２０６又は磁気テープ２０７に記録された映像信号を再生する再生モードとの切り換えスイッチや、動画像の記録開始／停止指示ボタン、静止画像を撮像するためのフォトボタン等を含む。さらに、操作部２１１は、マニュアルフォーカスリングやズームレバー等も含み、レンズ駆動部２１２は、マニュアルフォーカスリング及びズームレバー等（共に不図示）の操作に応じて、制御部２００の命令に基づいてレンズ２０１のフォーカス及びズームレンズを制御する。
【００２０】
制御部２００は、当該撮像装置を統括制御するものであり、上記のように各種の制御を行うものである。
図２は、本実施形態による撮像装置の主要構成要素である制御部２００の一部構成要素を示すブロック図である。図２では、制御部２００の構成要素のうち、表示信号生成部２０８を介したＥＶＦ２０９及び液晶モニタ２１０の表示制御を行うにあたって用いる構成要素のみを示す。具体的には、制御部２００は、表示切換部２２１と、静止画像設定部２２２と、静止画像表示停止部２２３と、タイマー２２４とを有している。
【００２１】
表示切換部２２１は、所定の画像表示トリガを検知して認識し、この画像表示トリガに基づいて液晶モニタ２１０の表示をオフからオンに切り換える。画像表示トリガは、例えば操作者が液晶モニタ２１０を閉じた状態から開いた場合に、当該液晶モニタ２１０の回転部２１３により生成される。この画像表示トリガに基づく画像表示トリガ信号が表示切換部２２１へ出力される。さらに表示切換部２１１は、操作部２１１のフォトボタンが押されたことによる制御信号を操作部２１１から取得する。フォトボタンが一回以上押されていて、かつ、上記画像表示トリガ信号を取得したときには、表示切換部２１１は液晶モニタ２１０を表示オフの状態から撮影済の静止画像を表示する状態に切り換えるための画像切換信号を表示信号生成部２０８へ送信する。表示信号生成部２０８は、画像切換信号を受信して、液晶モニタ２１０上で再生された静止画像の表示を開始する。この場合、ＥＶＦ２０９には引き続き撮影中の動画像を表示する。なお、画像表示トリガ信号を受信した際に、フォトボタンが押されたことによる制御信号を取得してなかったときは、液晶モニタ２１０の表示をオフからオンに切り換えて撮影中の動画像表示を開始する。この場合、ＥＶＦ２０９の表示はオンからオフになる。
【００２２】
このように、本実施形態では、回転部２１３の操作のように操作者が撮影において必要な動作を利用して画像表示トリガを生成し、液晶モニタ２１０を開いたときに液晶モニタ２１０に静止画像を表示する構成を採る。これにより、操作者は操作の煩雑感を覚えることなく、操作ミス等を心配せずに動画像及び静止画像の双方を容易に把握することができる。
【００２３】
静止画像設定部２２２は、液晶モニタ２１０に静止画像を表示させる動作を有効にするか否かを選択的に設定するものである。静止画像設定部２２２の設定は、例えば操作者の操作によりなされる。静止画像設定部２２２によりに静止画像を表示させる旨の設定がなされた場合のみに、画像表示トリガ及びフォトボタンによる制御信号に基づいて表示切換部２２１が画像切換信号を表示信号生成部２０８へ送信する。一方、静止画像設定部２２２により静止画像を表示させない旨の設定がなされると、表示切換部２２１が画像表示トリガ及びフォトボタンによる制御信号を検知しても、液晶モニタ２１０には撮影中の動画像が表示される。
【００２４】
このように、本実施形態では、静止画像設定部２２２により液晶モニタ２１０を開いたときに静止画像を表示させるか否かを任意に設定できる構成を採る。これにより、例えば静止画像表示を望むか否かを操作者の意志にまかせ、使い勝手に優れた動画像及び静止画像の撮像が実現する。
【００２５】
静止画像表示停止部２２３は、液晶モニタ２１０による静止画像の表示を停止させるものである。静止画像表示停止部２２３は、所定の静止画像停止トリガを検知して認識し、この静止画像停止トリガに基づいて液晶モニタ２１０による静止画像の表示を停止させる。ここで、静止画像停止トリガを用いることに加え、又はこれに代えて、静止画像表示の継続時間が規定されており、静止画像表示停止部２２３は当該継続時間の経過により静止画像の表示を停止させるようにしても良い。本実施形態では、例えば静止画像停止トリガ及び継続時間の双方を併用する場合について説明する。即ちこの場合、静止画像停止トリガの検知及び継続時間の経過のうち、何れか早い方を契機として静止画像の表示を停止させる構成を採る。勿論、例えば操作者の操作により継続時間の用いることなく、静止画像停止トリガのみを契機として静止画像の表示を停止させる構成や、その逆の構成を採用しても良い。
【００２６】
静止画像停止トリガは、例えば操作者が液晶モニタ２１０を閉じた場合や操作部２１１に設けられた静止画像の表示を停止させるためのボタンを押された場合に、回転部２１３により生成される。この静止画像停止トリガが表示切換部２２１へ送信される。表示切換部２２１は、静止画像の表示を停止させる旨の静止画像停止信号を表示信号生成部２０８へ送信する。表示信号生成部２０８は、静止画像停止信号を受信して、液晶モニタ２１０の静止画像表示を停止させる。ここで、液晶モニタ２１０を閉じた場合ならばＥＶＦ２０９には引き続き撮影中の動画像が表示される。
【００２７】
静止画像表示の継続時間は、タイマー２２４により計測される。この継続時間は、例えば操作者のタイマー２２４に対する操作により可変とされている。表示切換部２２１は、継続時間の経過に基づき、静止画像の表示を停止させる旨の静止画像停止信号を表示信号生成部２０８へ送信する。表示信号生成部２０８は、静止画像停止信号を受信して、液晶モニタ２１０の静止画像表示を停止させる。ここでも同様に、ＥＶＦ２０９には引き続き動画像が表示される。
【００２８】
静止画像表示を停止させる契機として、上記のように継続時間を用いる場合や、液晶モニタ２１０を閉じたとき以外の場合（換言すれば、液晶モニタ２１０の使用を継続する態様により、静止画像停止トリガを生成する場合）には、制御部２００は、当該静止画像表示を停止させた後、液晶モニタ２１０には撮影中の動画像を表示させる。また、動画像を表示する代わりに、前回撮像した静止画像を表示させる構成とすることも可能である。
【００２９】
このように、本実施形態では、静止画像停止トリガを契機として静止画像表示停止部２２３による静止画像の表示を停止させるか否かを操作者の操作に委ねたり、任意の継続時間の経過により自動的に停止させる等の構成を採る。これにより、例えば静止画像表示の停止を望むか否かを操作者の意志にまかせ、或いは例えばその操作が煩わしい場合には自動的に停止させ、更には双方を併用するという、撮像装置のバラエティに富んだ平易な使用態様が実現する。
【００３０】
上記のように構成される制御部２００のうち、タイマー２２４以外の構成要素は、例えば、ＭＰＵ、ＲＯＭ、ＲＡＭ、及びＥＥＰＲＯＭ等により実現させる。
ＭＰＵは、マイクロコンピュータの形を可とし、画像記録装置の記録データの生成、各種コマンドの解析、各種設定、及びレンズ、表示部等画像記録装置全体を統括制御する。
ＲＯＭは、当該処理手順等に対応したプログラムや所要のテーブルその他の固定データを格納している。
【００３１】
ＲＡＭは、各種設定を一時的に格納する領域、必要に応じて記録データの加工や記録データを展開するためのワークバッファとして利用される領域のほか、図示せぬ外部インターフェースに入力されたデータ及びコマンドや外部インターフェースから出力するデータ及びコマンドを一時的に格納するための領域を有する。
ＥＥＰＲＯＭは、静止画像表示手段がオンになってからオフにするための所定の設定時間等、電源オフ時にも設定値を保持しておくための領域を有する不揮発性メモリである。
【００３２】
（撮像装置の制御方法）
図３は、本発明の実施形態による撮像装置の制御方法をステップ順に説明するフローチャートである。図３のフローチャートは制御部２００で実行される制御プログラムに基づいて、制御部２００が行う制御動作を図示化したものである。ここでは、液晶モニタ２１０による静止画像表示の制御を中心に説明する。
静止画像設定部２２２によって、液晶モニタ２１０に静止画像を表示させる動作が有効に設定されている状態において、撮影が開始されると、始めにＥＶＦ２０９を使用して撮影しているかどうかを判断する（ステップＳ１１）。
ＥＶＦ２０９を使用していないときは、液晶モニタ２１０で撮影中の動画像を表示する（ステップＳ２０）。ＥＶＦ２０９を使用しているときは、ＥＶＦ２０９に撮影中の動画像を表示する（ステップＳ１２）とともに、操作者によってフォトボタンが押されたか否かを判断する（ステップＳ１３）。フォトボタンが押されない場合はステップＳ１５に進み、押された場合は自身が持つＲＡＭ、或いはカード２０６、或いは磁気テープ２０７等のメモリに撮影された静止画像を記録又は保持して（ステップＳ１４）、ステップＳ１５へ進む。
ステップＳ１５において、表示切換部２２１は、所定の画像表示トリガ、例えば液晶モニタ２１０が開かれることによって回転部２１３により発せられる信号を検知すると、液晶モニタ２１０が表示開始されたと判断する。液晶モニタ２１０が表示開始されないときはステップＳ１３へ戻り、表示開始されたときはステップＳ１６へ進む。
ステップＳ１６において、ステップＳ１３にてフォトボタンが押されたことによる制御信号を取得している状態ならば、すなわちステップＳ１４にて保存された静止画像があると判断して、液晶モニタ２１０において保存されている静止画像の再生表示を行う（ステップＳ１７）。ステップＳ１７における静止画表示方法は、保存された静止画像が一枚の場合はそのままフル画面表示をすれば良いが、複数枚ある場合も考慮してマルチ画面形態とした静止画一覧表示や各静止画をスライド式に撮影順等で表示させる形態になるよう構成しても良い。なお、ステップＳ１６で保存された静止画がない場合は、ステップＳ１９へ進む。
ステップＳ１８では、操作部２１１に設けられた静止画像の表示を停止させるためのボタンを押されたとき、或いはタイマー２２４により表示継続時間の終了が計測されたときに、静止画像表示停止と判断する。静止画像表示停止と判断されないときはステップＳ１７へ戻る。ステップＳ１８で静止画像表示停止と判断されたときは、ＥＶＦ２０９で表示していた撮影中の動画像表示を停止し（ステップＳ１９）、液晶モニタ２１０で撮影中の動画像の表示を行う（ステップＳ２０）。以上で本フローはリターンとなる。別個に存在する撮影停止ボタン等を操作することにより、本フローを強制終了させることができる。なお、ステップＳ１８で例えば操作者が液晶モニタ２１０を閉じたときには、液晶モニタ２１０の表示自体を停止して、ＥＶＦ２０９で撮影中の動画像表示が引き続き行われる。
【００３３】
なお、本発明は、本発明の技術思想の範囲内において、上記した実施形態に限定されるものではなく、対象となる回路形態により適時変更されて適応するべきものである。
【００３４】
以上説明したように、本実施形態によれば、動画像の記録中に、静止画像を撮影した場合に、ＥＶＦ２０９による動画像表示を継続しながら、液晶モニタ２１０に容易且つ明確に静止画像を表示することを可能とし、信頼性が高く使い勝手に優れた撮像装置が実現される。
【００３５】
なお、図３のフローチャートにおけるプログラムコードは、コンピュータのＲＡＭやＲＯＭなどに記憶されたプログラムが動作することによって実現できる。このプログラム及び当該プログラムを記録したコンピュータ読み取り可能な記憶媒体は本発明の実施形態に含まれる。
【００３６】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、上記プログラムの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００３７】
また、コンピュータが供給されたプログラムを実行することにより上述の実施形態の機能が実現されるだけでなく、そのプログラムがコンピュータにおいて稼働しているＯＳ（オペレーティングシステム）あるいは他のアプリケーションソフト等と共同して上述の実施形態の機能が実現される場合や、供給されたプログラムの処理の全てあるいは一部がコンピュータの機能拡張ボードや機能拡張ユニットにより行われて上述の実施形態の機能が実現される場合も、かかるプログラムは本発明の実施形態に含まれる。
【００３８】
例えば、図４は、パーソナルユーザ端末装置の内部構成を示す模式図である。この図４において、１２００はコンピュータＰＣである。ＰＣ１２００は、ＣＰＵ１２０１を備え、ＲＯＭ１２０２またはハードディスク（ＨＤ）１２１１に記憶された、あるいはフレキシブルディスクドライブ（ＦＤ）１２１２より供給されるデバイス制御ソフトウェアを実行し、システムバス１２０４に接続される各デバイスを総括的に制御する。
【００３９】
ＰＣ１２００のＣＰＵ１２０１、ＲＯＭ１２０２またはハードディスク（ＨＤ）１２１１に記憶されたプログラムにより、本実施形態の図３におけるステップＳ１１〜Ｓ２０の各手順等が実現される。
【００４０】
１２０３はＲＡＭで、ＣＰＵ１２０１の主メモリ、ワークエリア等として機能する。１２０５はキーボードコントローラ（ＫＢＣ）で、キーボード（ＫＢ）１２０９や不図示のデバイス等からの指示入力を制御する。
【００４１】
１２０６はＣＲＴコントローラ（ＣＲＴＣ）で、ＣＲＴディスプレイ（ＣＲＴ）１２１０の表示を制御する。１２０７はディスクコントローラ（ＤＫＣ）で、ブートプログラム（起動プログラム：パソコンのハードやソフトの実行（動作）を開始するプログラム）、複数のアプリケーション、編集ファイル、ユーザファイルそしてネットワーク管理プログラム等を記憶するハードディスク（ＨＤ）１２１１、及びフレキシブルディスク（ＦＤ）１２１２とのアクセスを制御する。
【００４２】
１２０８はネットワークインタフエースカード（ＮＩＣ）で、ＬＡＮ１２２０を介して、ネットワークプリンタ、他のネットワーク機器、あるいは他のＰＣと双方向のデータのやり取りを行う。
【図面の簡単な説明】
【００４３】
【図１】本発明の実施形態による撮像装置の全体構成例を示すブロック図である。
【図２】本実施形態による撮像装置の主要構成要素である制御部の一部構成要素を示すブロック図である。
【図３】本発明の実施形態による撮像装置の制御方法をステップ順に説明するフローチャートである。
【図４】パーソナルユーザ端末装置の内部構成を示す模式図である。
【図５】撮像装置の概観を示す斜視図である。
【符号の説明】
【００４４】
２００  制御部
２０１  レンズ
２０２  撮像素子
２０３  カメラ信号処理部
２０４  カード記録再生部
２０５  磁気テープ記録再生部
２０６  カード
２０７  磁気テープ
２０８  表示信号生成部
２０９  ＥＶＦ
２１０  液晶モニタ
２１１  操作部
２１２  レンズ駆動部
２１３  回転部
２２１  表示切換部
２２２  静止画像設定部
２２３  静止画像表示停止部
２２４  タイマー
３００  撮像装置
３１０  ＥＶＦ
３２０  液晶モニタ
３３０  操作部材
３４０  レンズ
３５０  回転部
３６０  モード切替え手段
【図１】
0004781065.tif 000002
【図２】
0004781065.tif 000003
【図３】
0004781065.tif 000004
【図４】
0004781065.tif 000005
【図５】
0004781065.tif 000006